(57)【要約】【課題】シール材の硬化光量を確保し、未硬化のシール材の液晶層への溶出の抑制、狭額縁化及びコモン配線の抵抗値の増加を抑制した液晶表示装置を提供すること。【解決手段】アレイ基板１１とカラーフィルタ基板２１とがそれぞれの表面で互いに対向するようにシール材１６で貼り合わされ、両基板１１，２１間に液晶１７が封入された液晶表示装置１０において、アレイ基板１１の表面には表示領域２５の周辺部にコモン配線１３が形成され、コモン配線１３にはメッシュ状に光透過孔１３ａが形成され、シール材１６は、コモン配線１３の表面のメッシュ状に形成された光透過孔１３ａと平面視で重畳する位置に配置されている。【選択図】図３
2010020209.tif 000002
【特許請求の範囲】
【請求項１】
アレイ基板とカラーフィルタ基板とがそれぞれの表面で互いに対向するようにシール材
で貼り合わされ、両基板間に液晶が封入された液晶表示装置において、
前記アレイ基板の表面には表示領域の周辺部にコモン配線が形成され、
前記コモン配線にはメッシュ状に光透過孔が形成され、
前記シール材は、前記コモン配線の表面の前記メッシュ状に形成された光透過孔と平面
視で重畳する位置に配置されていることを特徴とする液晶表示装置。
【請求項２】
前記メッシュ状に形成された光透過孔は、前記コモン配線の全面に形成されていること
を特徴とする請求項１に記載の液晶表示装置。
【請求項３】
前記メッシュ状に形成された光透過孔は、前記シール材の両側端部に沿って、前記コモ
ン配線に形成されていることを特徴とする請求項１に記載の液晶表示装置。
【請求項４】
前記メッシュ状に形成された光透過孔は、前記光透過孔の開口部の幅が２μｍ〜２０μ
ｍであり、前記開口部間の幅が２μｍ〜５０μｍであることを特徴とする請求項１〜３の
いずれかに記載の液晶表示装置。
【請求項５】
液晶表示パネル用の一対のアレイ基板及びカラーフィルタ基板を用意し、前記アレイ基
板の周辺に沿ってシール材を塗布する工程と、
前記アレイ基板に塗布された前記シール材の内側に液晶を滴下する工程と、
前記一対の基板を貼り合わせ接着させる工程と、
前記シール材を硬化させる工程と、
を有する液晶表示装置の製造方法であって、
前記アレイ基板に形成されるコモン配線にはメッシュ状に光透過孔を形成し、
前記シール材を塗布する工程において、前記シール材を前記コモン配線上に塗布し、
前記シール材を硬化させる工程において、前記アレイ基板の下側から光を照射すること
を特徴とする液晶表示装置の製造方法。
【発明の詳細な説明】
【技術分野】
【０００１】
本発明は液晶表示装置に関し、特に、外周部のコモン配線にメッシュ状に光透過孔を形
成し、シール材の硬化光量を確保し、未硬化のシール材の液晶層への溶出の抑制、狭額縁
化及びコモン配線の抵抗値の増加を抑制した液晶表示装置に関するものである。
【背景技術】
【０００２】
液晶表示装置の製造方法には、各種配線等が形成されたアレイ基板とカラーフィルタ基
板とを互いに表面が対向するようにその外周囲をシール材で貼り合わせた後、一対の基板
とシール材とに囲まれた領域に液晶を封入する方法と、各種配線等が形成されたアレイ基
板とカラーフィルタ基板とを貼り合わせる前に下側の基板にシール材を塗布し液晶を滴下
し、その後、上側の基板を覆い被せて一気に貼り合わせる方法がある。前者は、従来から
用いられている液晶注入法であり、後者は、液晶滴下（One Drop Fill：以下、「ＯＤＦ
」という）法である。
【０００３】
上述した両方の製造方法は、ともにアレイ基板及びカラーフィルタ基板をシール材で貼
り合せていることでは共通している。しかし、ＯＤＦ法では、紫外線硬化型のシール材が
未硬化状態で液晶材料と接するため、シール材中の不純物や構成成分が液晶層に多量に溶
出することがある。これらのシール材中の不純物や構成成分が液晶中に溶出すると、液晶
が変質してしまうため、表示品位を低下させる原因となる。
【０００４】
しかし、シール材中の不純物や構成成分の溶出を低減させるためには、シール材に充分
な光硬化反応を起こさせる必要がある。そのため、シール材の近傍には、シール材を硬化
させるための十分な光量を確保するために、紫外線を遮るものを配置することができない
。
【０００５】
また、シール材を硬化させるための十分な光量を確保するには、シール材に対して光照
射するための十分な開口部を設ける必要があるが、カラーフィルタ基板側は額縁部が遮光
膜で構成されているために開口部を設けることができず、また、アレイ基板側にはコモン
配線があるために開口部を設けることができない。このため、シール材に対して光照射す
るための十分な開口部は遮光膜及びコモン配線と干渉しない位置に配置する必要がある。
【０００６】
また、液晶表示装置においては、表示領域をより大きくするために狭額縁化が要求され
ている。しかし、シール材に対して光照射するための十分な開口を額縁部に形成するため
には、表示領域の周縁の額縁部を広くしなければならないという問題がある。また、額縁
部を狭くするためにコモン配線を細くした場合、配線抵抗の増加によってコモン電位が変
動するので、表示品質が低下する。
【０００７】
これらの課題を解決するために、下記特許文献１には未硬化のシール材の液晶層への溶
出を防止するための発明が開示されている。ここで、下記特許文献１に開示されている液
晶表示素子の発明を図８Ａ及び図８Ｂを用いて説明する。
【０００８】
図８Ａは下記特許文献１に開示されている液晶表示素子を示す模式断面図であり、図８
Ｂは図８Ａの要部を示す拡大平面図である。
【０００９】
下記特許文献１に開示された液晶表示素子５０は、アレイ基板５２と、このアレイ基板
５２の一主面に対向して配設された対向基板５３と、前記アレイ基板５２と前記対向基板
５３との間に介在された液晶層５４と、この液晶層５４の周囲に隣接して配設され、前記
アレイ基板５２と前記対向基板５３とを接着するシール部材５５とを具備し、前記アレイ
基板５２は、前記液晶層５４側から前記シール部材５５の外方に亘って連続したアレイ配
線５１を備え、前記アレイ配線５１は、少なくとも前記シール部材５５と前記液晶層５４
との境界部５５ａに、前記シール部材５５を硬化させる硬化エネルギが通過可能な硬化エ
ネルギ通過部５６を有している。この硬化エネルギ通過部５６は、図８Ｂに示したように
、複数本の配線５７を互いに離間して並設したスリット５８状に形成されている。
【００１０】
このような下記特許文献１に開示された液晶表示装置５０によれば、アレイ配線５１に
硬化エネルギ通過部５６を設けたので、この硬化エネルギ通過部５６を通過した硬化エネ
ルギにより液晶層５４との境界部５５ａのシール部材５５を実質的に完全に硬化させ、シ
ール部材５５からの不純物等の液晶層５４への溶出を確実に防止できるようになる。その
ため、下記特許文献１に開示された液晶表示装置５０においては、液晶層５４の劣化を抑
制して表示品位を向上させた液晶表示装置５０が得られるというというものである。
【００１１】
また、下記特許文献２には、表示領域の外周部の額縁領域を小さくすることにより、小
型化された液晶表示装置に関する発明が開示されている。この下記特許文献２に開示され
た液晶表示パネルを図９Ａ及び図９Ｂを用いて説明する。
【００１２】
図９Ａは下記特許文献２に開示された液晶表示パネルを示す模式平面図であり、図９Ｂ
は図９Ａに示した液晶表示パネルの模式部分断面図である。
【００１３】
下記特許文献２に開示された液晶表示装置６０では、表示領域の周辺遮光用膜として、
表示領域の外縁部から続けて所定の領域まで第一の基板６１に遮光質膜６３ａが形成され
、その外側から第一の基板６１の端部までは、第一の基板６１に対向配置される第二の基
板６２に遮光質膜６３ｂが形成されている。このようにして形成された周辺遮光用膜の幅
Ｐは、第一の基板６１に形成された遮光質膜６３ａの幅と第二の基板６２に形成された遮
光質膜６３ｂの幅を重ね合わせたものとなる。また、第一の基板６１には、遮光質膜６３
ａの外側に、第二の基板６２の遮光質膜６３ｂ形成部分に対応する幅Ｑを有する透明部分
が形成されており、この透明部分を介して紫外線６５がシール樹脂６４に照射される。
【００１４】
このような下記特許文献２に開示された液晶表示装置においては、表示領域の周辺遮光
用膜（遮光質膜６３ａ及び６３ｂ）を、対向配置される第一の基板６１（遮光質膜６３ａ
）と第二の基板６２（遮光質膜６３ｂ）に互い違いに形成し、シール樹脂６４が塗布され
て紫外線６５が照射される領域では、周辺遮光用膜を第二の基板６２側に形成している。
そのため、周辺遮光用膜（遮光質膜６３ａ及び６３ｂ）が形成される領域（幅Ｐ）内にシ
ール樹脂６４に紫外線６５を照射するための透明部分（幅Ｑ）を第一の基板６１側に設け
ることができるため、表示領域の外周部の額縁領域の幅は周辺遮光用膜が形成される領域
の幅Ｐと同等とすることができるようになる。従って、下記特許文献２に開示された液晶
表示装置によれば、額縁領域を小さくして液晶表示装置のサイズを小さくすることができ
ると共に、表示領域の周辺遮光用膜の形成領域（幅Ｐ）は十分に確保されているので、表
示領域周辺部における光漏れを防止することができるという効果を奏する。
【特許文献１】特開２００７−２３３０２９号公報（請求項１、請求項２、段落［００１２］、図１、図３）
【特許文献２】特許第４０６５６０９号公報（請求項１、段落［００１０］〜［００１２］、図１、図２）
【発明の開示】
【発明が解決しようとする課題】
【００１５】
しかし、上記特許文献１に開示された液晶表示装置では、シール材中の不純物の溶出は
少なくできるが、アレイ配線（ここで言う走査線や信号線からなる引き回し配線）に硬化
エネルギ通過部を設けているので、アレイ配線の幅やアレイ配線同士の間隔が狭くなるこ
とが避けられない、そのため、上記特許文献１に開示された液晶表示装置においては、ア
レイ配線の断線や短絡等の各種配線不良が生じやすくなると共に、配線抵抗が増大してし
まうために表示特性が劣化してしまうという問題点が存在する。更に、上記特許文献１に
開示された液晶表示装置のように、光透過領域をシール部材と液晶層の境界領域に設けた
だけでは、シール部材全体を硬化させるのが困難で、部分的にシール材が硬化しない箇所
ができてしまうため、密着不良等の不良に繋がる原因となってしまい、パネルの品質が低
下する。さらに、部分的に光透過領域を形成するとシール材全体を硬化させるのに時間が
かかってしまい、製造効率が悪くなる。
【００１６】
また、特許文献２に開示された液晶表示装置では、遮光領域内に光透過領域を設けたこ
とにより、光透過領域の分だけ額縁部を狭くすることができるが、遮光領域自体の幅は従
来のままであるので、狭額縁化にも限界がある。
【００１７】
本発明者らは上記問題点に鑑み、紫外線硬化形のシール材を効率よく硬化させるために
種々実験を繰り返した。その結果、コモン配線にメッシュ状に光透過孔を形成し、このコ
モン配線とシール材を重ねて配置することで、光透過孔から透過した光によりシール材を
硬化させることができるので未硬化のシール材の液晶層への溶出を抑制することが可能と
なり、密着性が向上できることを見出し、更に、額縁領域を小さくしてもコモン配線の配
線抵抗の増加を十分に抑えることができることを見出し、本発明を完成するに至ったので
ある。
【００１８】
すなわち、本発明の目的は、未硬化のシール材の液晶層への溶出を抑制することができ
ると共にシール材の密着性を向上し、コモン配線の配線抵抗が小さく、額縁領域の小さい
液晶表示装置であっても表示品質の良好な液晶表示装置を提供することにある。
【００１９】
また、本発明の他の目的は、未硬化のシール材の液晶層への溶出を抑制することができ
ると共に、コモン配線の配線抵抗が小さく、額縁領域の小さい液晶表示装置であっても表
示品質の良好な液晶表示装置の製造方法を提供することを目的とする。
【課題を解決するための手段】
【００２０】
上記目的を達成するため、本発明の液晶表示装置は、アレイ基板とカラーフィルタ基板
とがそれぞれの表面で互いに対向するようにシール材で貼り合わされ、両基板間に液晶が
封入された液晶表示装置において、
前記アレイ基板の表面には表示領域の周辺部にコモン配線が形成され、
前記コモン配線にはメッシュ状に光透過孔が形成され、
前記シール材は、前記コモン配線の表面の前記メッシュ状に形成された光透過孔と平面
視で重畳する位置に配置されていることを特徴とする。
【００２１】
シール材は、光硬化性樹脂を塗布した後、光を照射させることにより硬化される。従来
は、狭額縁の液晶表示装置を製造するには、カラーフィルタ基板に形成される遮光膜の直
下にシール材を配置し、アレイ基板の引き回し配線の隙間の開口から光を照射し、シール
材を硬化させていた。そのため、従来の液晶表示装置では、シール材に対する光照射が十
分ではなく、未硬化のシール材が残存しており、この未硬化のシール材が液晶と接触して
液晶が劣化する原因となっていた。
【００２２】
それに対し、本発明の液晶表示装置においては、シール材はコモン配線の表面の前記メ
ッシュ状に形成された光透過孔と平面視で重畳する位置に配置されている。従って、本発
明の液晶表示装置においては、シール材はアレイ基板の下部からコモン配線にメッシュ状
に形成された光透過孔を透過した光で硬化させることができ、また、メッシュ状に形成さ
れた光透過孔上に位置しない部分に存在しているシール材は回折光により硬化させること
ができる。なお、本発明におけるシール材を硬化させるための光としては、従来例の場合
と同様に、紫外光が使用される。
【００２３】
そのため、本発明に係る液晶表示装置によれば、シール材に効率よく光硬化反応を起こ
させることができるため、シール材の未硬化部分をなくすことができ、従来例のように未
硬化のシール材が液晶層へ溶出することを抑制することができ、密着性も向上させること
ができる。また、本発明に係る液晶表示装置によれば、シール材をコモン配線上に配置す
ることができるため、液晶表示装置の狭額縁化が可能になる。加えて、本発明の液晶表示
装置においては、コモン配線にメッシュ状に光透過孔を形成したので、コモン配線にはメ
ッシュ状に電流流路が形成されていることになり、コモン配線の電流の流路の幅を確保す
ることができるので、コモン配線に光透過孔を設けたことによる抵抗値の上昇を抑えるこ
とができる。
【００２４】
また、本発明に係る液晶表示装置においては、前記メッシュ状に形成された光透過孔は
、前記コモン配線の全面に形成されていることが好ましい。
【００２５】
本発明の液晶表示装置によれば、メッシュ状に形成された光透過孔がコモン配線の全面
に形成されているので、アレイ基板の下部からシール材の全体に光を照射させることがで
き、シール材の全体を効率よく硬化させることができる。その結果、未硬化のシール材と
液晶層との接触時間が短くなり、未硬化のシール材の液晶層への溶出を更に抑制すること
ができ、しかも、シール材の未硬化部がなくなるため、密着性が向上する。
【００２６】
また、本発明に係る液晶表示装置においては、前記メッシュ状に形成された光透過孔は
、前記シール材の両側端部に沿って、前記コモン配線に形成されていることが好ましい。
【００２７】
本発明の液晶表示装置においては、シール材はコモン配線の両側端部に沿ってメッシュ
状に形成された光透過孔と平面視で重畳している部分から硬化される。そのため、本発明
の液晶表示装置によれば、シール材の両側端部が最も早く硬化されるので、少なくとも液
晶層への未硬化のシール材の溶出を抑制することができるようになる。また、コモン配線
の中心部はメッシュ状に形成された光透過孔が存在していないため、コモン配線の抵抗値
の上昇を更に抑えることができる。
【００２８】
また、本発明に係る液晶表示装置においては、前記メッシュ状に形成された光透過孔は
、前記光透過孔の開口部の幅が２μｍ〜２０μｍであり、前記開口部間の幅が２μｍ〜５
０μｍであることが好ましい。
【００２９】
本発明の液晶表示装置によれば、開口部間の幅を２μｍ〜５０μｍ以内に形成すると、
開口部間に回折光が効率よく届くので、開口部間に配置されているシール材を効率よく硬
化させることができると共に、コモン配線の抵抗値の上昇を抑えることができる。この場
合、開口部間の幅の最適値は３μｍ〜１０μｍである。また、開口部の幅を２μｍ〜２０
μｍにすることで、効率よく光を照射することができ、シール材の未硬化部を抑制するこ
とができるため、液晶への溶け出しを抑制でき、密着性を向上させることができる。この
場合、開口部の幅の最適値は５μｍ〜１０μｍである。なお、開口部を形成する際、低温
ポリシリコン等のその他の液晶表示装置にも汎用可能である。
【００３０】
また、本発明に係る液晶表示パネルの製造方法は、液晶表示パネル用の一対のアレイ基
板及びカラーフィルタ基板を用意し、前記アレイ基板の周辺に沿ってシール材を塗布する
工程と、
前記アレイ基板に塗布された前記シール材の内側に液晶を滴下する工程と、
前記一対の基板を貼り合わせ接着させる工程と、
前記シール材を硬化させる工程と、
を有する液晶表示装置の製造方法であって、
前記アレイ基板に形成されるコモン配線にはメッシュ状に光透過孔を形成し、
前記シール材を塗布する工程において、前記シール材を前記コモン配線上に塗布し、
前記シール材を硬化させる工程において、前記アレイ基板の下側から光を照射すること
を特徴とする。
【００３１】
本発明の液晶表示装置の製造方法によれば、アレイ基板のコモン配線にメッシュ状に光
透過孔を形成したので、アレイ基板の下側から光を照射してもこの光透過孔を透過した光
によってシール材を硬化させることができる。そのため、シール材は表示領域の周縁部に
形成されているコモン配線上に塗布することができるので、表示領域は広く、狭額縁の液
晶表示装置を製造することができるようになる。また、本発明の液晶表示装置の製造方法
によれば、この光硬化孔を通してシール材の全体を効率よく硬化させることができるので
、未硬化のシール材の液晶層への溶出を防ぐことができ、表示不良の少ない液晶表示装置
を製造することができる。更に、コモン配線には光透過孔をメッシュ状に配置したので、
コモン配線の抵抗値の上昇を抑えた液晶表示装置を製造することができるようになる。
【発明を実施するための最良の形態】
【００３２】
以下、図面を参照して本発明の最良の実施形態を説明する。但し、以下に示す実施形態
は、本発明の技術思想を具体化するための液晶表示装置及び液晶表示装置の製造方法を例
示するものであって、本発明をこの液晶表示装置及び液晶表示装置の製造方法に特定する
ことを意図するものではなく、特許請求の範囲に含まれるその他の実施形態のものも等し
く適応し得るものである。なお、この明細書における説明のために用いられた各図面にお
いては、各層や各部材を図面上で認識可能な程度の大きさとするため、各層や各部材毎に
縮尺を異ならせて表示しており、必ずしも実際の寸法に比例して表示されているものでは
ない。
【００３３】
図１は本発明の第１の実施形態に係る液晶表示装置の概略平面図である。図２は図１の
液晶表示装置においてカラーフィルタ基板を透視して示す概略平面図である。図３Ａは図
２のIIIA部分の拡大図、図３Ｂは図２のIIIＢ部分の拡大図である。図４Ａは図１のIVA−
IVA線の断面図、図４Ｂは図１のIVＢ−IVＢ線の断面図である。図５は図４ＡのＶ部分の
光の透過状態を示した模式拡大図である。図６Ａは第２の実施形態に係る液晶表示装置の
図３Ａに対応した部分の拡大図、図６Ｂは図３Ｂに対応した部分の拡大図である。図７Ａ
は第２の実施形態に係る液晶表示装置の図４Ａに対応した部分の断面図、図７Ｂは図４Ｂ
に対応した部分の断面図である。
【００３４】
［第１の実施形態］
本発明の第１の実施形態に係る液晶表示装置１０は、図１に示すように、アレイ基板１１
及びカラーフィルタ基板２１と、両基板１１，２１を貼り合わせるシール材１６と、アレ
イ基板１１、カラーフィルタ基板２１及びシール材１６により囲まれた領域に液晶１７が
封入された構成を備えている。この液晶表示装置１０においては、シール材１６により囲
まれた領域が表示領域２５を形成しており、この表示領域２５の外周側が額縁領域２６と
なっている。また、第１の実施形態に係る液晶表示装置１０はＯＤＦ法で製造されたもの
であるため、液晶注入口は形成されていない。
【００３５】
アレイ基板１１は、図１ないし図４に示すように、対向する一対の矩形状のガラス基板
からなる透明基板１２の表面に液晶駆動用の各種配線等が形成されたものである。なお、
図４ではこれらの各種配線等を構造物１５として図示する。このアレイ基板１１はカラー
フィルタ基板２１よりもその長手方向の長さが長く、両基板１１，２１を貼り合わせた際
に外部に延在する延在部１２ａが形成されるようになっている。この延在部１２ａには駆
動信号を出力するＩＣチップあるいはＬＳＩ等からなるドライバＤｒが設けられている。
【００３６】
アレイ基板１１の透明基板１２上の表示領域２５内には、図２及び図３に示すように、
マトリクス状に複数本のソース配線及びゲート配線（以下、総称してアレイ配線１４とい
う。）が形成されており、この複数本のアレイ配線１４は、表示領域２５外まで延出され
引回されてドライバＤｒに接続されている。また、このドライバＤｒからは、更にコモン
配線１３が延在している。
【００３７】
アレイ配線１４は、所定間隔をおいて互いに平行に延在しており、ドライバＤｒから額
縁領域の一対の長辺１２Ａ、１２Ｂに近接する部分まで引回された後、短辺１２Ｃ側に向
かって延在するとともに表示領域２５側に徐々に近接するように、長辺１２Ａ、１２Ｂに
対して所定角度傾斜した状態で延在されている。従って、この複数本のアレイ配線１４は
その本数が短辺１２Ｃに近接するに従って減少する（図４Ａ、図４Ｂ参照）。よって、こ
れら複数本のアレイ配線１４のうち最も長辺１２Ａ又は１２Ｂに近接した位置を引回され
るものと長辺１２Ａ又は１２Ｂとの間の幅は、短辺１２Ｃに近接するに従って徐々に広く
なっている。
【００３８】
コモン配線１３は、複数のアレイ配線１４の更に外側を引回されている。このコモン配
線１３は、その両端がドライバＤｒに接続されると共に、透明基板１２の一対の長辺１２
Ａ、１２Ｂ及び一方の短辺１２Ｃに沿って配線されており、平面視でほぼＵ字状に配線さ
れている。加えて、このコモン配線１３は、他のアレイ配線１４に比してその幅が広く設
定されている。特に、図２及び図３Ａに示すように、額縁領域の長辺１２Ａ、１２Ｂに沿
って延びる部分に配線されたコモン配線１３は、所定角度に傾斜して延在するアレイ配線
１４に沿って、すなわち一方の短辺１２Ｃに近接するに伴ってその幅が徐々に拡幅されて
いる。
【００３９】
すなわち、このコモン配線１３は、アレイ基板１１の上方の短辺１２Ｃ部分では図３Ａ
に示すようにアレイ配線１４などが配設されないので幅広に形成され、長辺１２Ａ部分で
は、図３Ｂに示すように対向する短辺１２Ｄに向かうに従って段階的に幅狭に形成されて
いる。このようにコモン配線１３を幅広にすると導電面積が増大し、電気抵抗を低減させ
ることが可能になる。更に、コモン配線１３には、図３及び図４示すようにメッシュ状ま
たは格子状に光透過孔１３ａが形成されている。この光透過孔１３ａは例えば幅１０μｍ
程度の開口部を有し、コモン配線１３の全面にメッシュ状または格子状に形成されている
。
【００４０】
なお、メッシュ状または格子状に形成された光透過孔１３ａは、例えば幅２μｍ〜２０
μｍの大きさであればシール材１６を硬化させることができる。ただし、大きくしすぎる
ことで光透過孔間のコモン配線１３の幅を狭くし、配線抵抗が下がることが懸念されるの
で、光透過孔１３ａの幅は設計の際、表示に影響の無い程度に設計する。そのため、光透
過孔１３ａは幅１０μｍ程度の開口が好ましい。そして、光透過孔間のコモン配線１３の
幅は２μｍ〜５０μｍの間であれば、シール材１６を良好に硬化させることができる。し
かし、２μｍより小さくすると配線抵抗が上がってしまい表示品位が低下する上に、製造
過程のなかで断線やパターン繋がりなどが生じてしまう。そして、５０μｍより大きくす
ると光が照射されにくく、回折光１９が届きにくく未硬化部分ができてしまう。そのため
、光透過孔間のコモン配線１３は幅５μｍ〜１０μｍ程度が好ましい。
【００４１】
カラーフィルタ基板２１は、図１及び図４に示すように、矩形状のガラス基板からなる
透明基板２２の表面にカラーフィルタ層や各種配線等が形成されたものである。なお、図
４ではこれらの各種配線等を構造物２４として図示する。また、カラーフィルタ基板２１
の額縁領域２６には、光漏れを抑制するために遮光膜２３が形成されている。
【００４２】
シール材１６は、図１ないし図４に示すように、両基板１１，２１を貼り合せるために
使用される。このシール材１６は両基板間の外周に沿ってアレイ基板１４のコモン配線１
３上に平面視で重畳する位置に塗布されている。また、シール材１６は、カラーフィルタ
基板２１に対しては、透明基板２２上に形成された遮光膜２３に掛かる部分と貼り合わさ
れている。シール材１６は紫外線により硬化する光硬化性樹脂で形成されている。
【００４３】
この液晶表示装置１０は以下の製造方法によって作成することができる。すなわち、各
種配線等が形成された液晶表示装置用の一対のアレイ基板１１及びカラーフィルタ基板２
１を用意する。このとき、アレイ基板１１の周囲に形成されるコモン配線１３にメッシュ
状または格子状に光透過孔１３ａを形成しておく。次に、コモン配線１３と重なるように
アレイ基板１１の周辺にディスペンサと呼ばれる専用の機械でシール材１６を塗布する。
続いて、アレイ基板１１に塗布されたシール材１６で囲まれた内側に液晶１７を滴下する
。その後、アレイ基板１１にカラーフィルタ基板２１を貼り合わせ大気圧によりシール材
１６で接着する。次に、アレイ基板１１の下側から光１８を照射してシール材１６を硬化
する。続いて、ドライバＤｒ等を配置することにより液晶表示装置１０が完成する。
【００４４】
次に、シール材１６の硬化について図４及び図５を参照して説明する。シール材１６の
硬化は紫外光１８をアレイ基板１１の下側からシール材１６に照射して行う。カラーフィ
ルタ基板２１のシール材１６に係る部分には、光漏れを抑制するために遮光膜２３が形成
されており、紫外光１８を透過させることができないからである。
【００４５】
アレイ基板１１の下側から紫外光１８を照射すると、図４Ａに示すように、コモン配線
１３に形成された光透過孔１３ａから矢印で表したように紫外光１８が透過され、シール
材１６に紫外光１８が照射されて光硬化反応が起こる。また、図４Ｂに示すようにシール
材１６がコモン配線１３上とアレイ配線１４上にまたがる場合は、コモン配線１３上では
上記と同様に光透過孔１３ａから紫外光１８が透過され、一方アレイ配線１４上では従来
のようにアレイ配線１４間の隙間の開口１４ａから紫外光１８が透過され、シール材１６
が硬化される。
【００４６】
なお、アレイ配線１４上に位置するシール材１６の部分は、従来通りアレイ配線１４間
の隙間の開口１４ａを透過した紫外光１８が遮光膜２３で反射した反射光となって照射さ
れるので、シール材１６が硬化される。
【００４７】
また、コモン配線１３の光透過孔１３ａの形成されていない部分、すなわち、開口部間
分では、図５に示したように、紫外光１８が光透過孔１３ａを透過した際の回折光１９及
び遮光膜２３で反射した反射光（図示せず）によってシール材１６が硬化される。
【００４８】
以上述べたように、コモン配線１３にメッシュ状または格子状に光透過孔１３ａを形成
したので、シール材１６は、アレイ基板１１の下部から紫外光１８を照射しても、光透過
孔１３ａを透過した紫外光１８で硬化させることができ、また、この光透過孔１３ａはコ
モン配線１３の全面に形成されているので、コモン配線１３上にあるシール材１６を効率
よく硬化させることができる。更に、メッシュ状または格子状に形成された光透過孔１３
ａ上に位置しない部分に存在しているシール材１６は、光透過孔１３ａを透過した紫外光
１８による回折光１９及び遮光膜で反射した反射光により、硬化させることができる。
【００４９】
そのため、第１の実施形態に係る液晶表示装置１０によれば、シール材１６に効率よく
光硬化反応を起こさせることができるため、シール材１６の未硬化部分をなくすことがで
き、従来例のように未硬化のシール材が液晶層１７へ溶出することを抑制することができ
る。また、第１の実施形態に係る液晶表示装置１０によれば、シール材１６をコモン配線
１３上に配置することができるため、液晶表示装置の狭額縁化が可能になる。加えて、第
１の実施形態に係る液晶表示装置１０においては、コモン配線１３にメッシュ状または格
子状に光透過孔１３ａを形成したが、コモン配線１３には格子状に電流流路が形成されて
いることになるので、コモン配線１３の電流の流路を広く維持することができるので、コ
モン配線１３の抵抗値の上昇を抑えることができる。
【００５０】
［第２の実施形態］
次に、図６及び図７を参照して、本発明に係る第２の実施形態について説明する。なお
、第２の実施形態に係る液晶表示装置は第１の実施形態に係る液晶表示装置のコモン配線
に形成された光透過孔の形成箇所が異なること以外は共通するので、第１の実施形態に係
る液晶表示装置と同一の構成については同一の参照符号を付与してその詳細な説明は省略
する。
【００５１】
第２の実施形態に係る液晶表示装置１０Ａでは、コモン配線１３にメッシュ状または格
子状に光透過孔１３ａが形成され、シール材１６と平面視で重畳して配置していることは
第１の実施形態に係る液晶表示装置１０と共通している。しかし、第２の実施形態に係る
液晶表示装置１０Ａでは、シール材１６の中央部に重なるコモン配線１３の中心部には光
透過孔１３ａを形成していない点で相違している。
【００５２】
このような構成にすることで、第２の実施形態に係る液晶表示装置１０Ａでは、コモン
配線１３の中心部は、光透過孔１３ａが存在していないため、第１の実施形態に係る液晶
表示装置１０に比べてコモン配線１３の抵抗値の上昇を更に抑えることができる。更に、
シール材１６の硬化に関しては、光透過孔１３ａは図７に示すように、シール材１６の端
部に沿って形成されている。その結果、液晶層１７と接するシール材１６の端部は最も早
く硬化させることができ、未硬化のシール材の液晶層１７への溶出を抑制することができ
る。なお、シール材１６の他の部分は回折光１９（図５参照）によって硬化される。更に
、第２の実施形態に係る液晶表示装置１０Ａでも、シール材１６はコモン配線１３上に形
成できるので、狭額縁の液晶表示装置を提供することができる。
【００５３】
また、上述した第１及び第２の実施形態に係る液晶表示装置においては、何れもＯＤＦ
法で製造された液晶表示装置について説明を行っているが、これに限らず、従来のいわゆ
る液晶注入法で製造された液晶表示装置であっても本発明の目的を達成することが可能で
ある。液晶注入法の場合、通常はシール材としては熱硬化性樹脂が用いられているが、シ
ール材として光硬化性樹脂を使用した場合には本発明を適用することが可能となる。また
、熱硬化と光硬化を併用した製造方法にも適応可能である。この二つの製造方法を組み合
わせることにより、更に密着性が向上する。
【図面の簡単な説明】
【００５４】
【図１】本発明の第１の実施形態に係る液晶表示装置の概略平面図である。
【図２】図１に示す液晶表示装置においてカラーフィルタ基板を透視して示す概略平面図である。
【図３】図３Ａは図２のIIIA部分の拡大図、図３Ｂは図２のIIIＢ部分の拡大図である。
【図４】図４Ａは図１のIVA−IVA線の断面図、図４Ｂは図１のIVＢ−IVＢ線の断面図である。
【図５】図４ＡのＶ部分の光の透過状態を示した模式拡大図である。
【図６】図６Ａは第２の実施形態に係る液晶表示装置の図３Ａに対応した部分の拡大図、図６Ｂは図３Ｂに対応した部分の拡大図である。
【図７】図７Ａは第２の実施形態に係る液晶表示装置の図４Ａに対応した部分の断面図、図７Ｂは図４Ｂに対応した部分の断面図である。
【図８】図８Ａは下記特許文献１に開示されている液晶表示素子を示す模式断面図であり、図８Ｂは図８Ａの要部を示す拡大平面図である。
【図９】図９Ａは下記特許文献２に開示された液晶表示パネルを示す模式平面図であり、図９Ｂは図９Ａに示した液晶表示パネルの模式部分断面図である。
【符号の説明】
【００５５】
１０，１０Ａ…液晶表示装置  １１…アレイ基板  １２ａ…延在部  １２Ｃ…短辺  １２
Ｄ…短辺  １２Ａ…長辺  １２…透明基板  １３…コモン配線  １３ａ…光透過孔  １４
…アレイ配線  １４ａ…開口  １５…構造物  １６…シール材  １７…液晶（液晶層）  
１８…紫外光  １９…回折光  ２１…カラーフィルタ基板  ２２…透明基板  ２３…遮光
膜  ２４…構造物  ２５…表示領域  ２６…額縁領域  Ｄｒ…ドライバ  
【図１】
2010020209.tif 000003
【図２】
2010020209.tif 000004
【図３】
2010020209.tif 000005
【図４】
2010020209.tif 000006
【図５】
2010020209.tif 000007
【図６】
2010020209.tif 000008
【図７】
2010020209.tif 000009
【図８】
2010020209.tif 000010
【図９】
2010020209.tif 000011